(57)【要約】      （修正有）【課題】情報用コンセントのメンテナンス用接続口にメンテナンス用モジュラ−プラグを取外し可能に取付け、メンテナンスを可能にしたノイズフィルタ付き情報コンセントを提供する。【解決手段】  情報コンセントにおいて、ケ−ス上蓋１の一側端にメンテナンス用モジュラ−プラグ９の接続開口を設け、該開口にメンテナンス用モジュラ−プラグを取外し可能にすると共に該接続部をケ−ス本体内収納し、また、ノイズフィルタ６をケ−ス上蓋に対して直立に配置するように構成する。【選択図】図１
0003118568.tif 000002
【実用新案登録請求の範囲】
【請求項１】
メンテナンス用接続口と情報コンセント口とを備えた情報コンセント本体と、前記メンテナンス用接続口と情報コンセント口の略中間位置にノイズフィルタを配置したことを特徴とするノイズフィルタ付き情報コンセント。
【請求項２】
前記メンテナンス用接続開口にメンテナンス用モジュラ−プラグが取外し可能に取付けられていることを特徴とする請求項１に記載のノイズフィルタ付き情報コンセント。
【請求項３】
前記メンテナンス用接続口に接続されたメンテナンス用モジュラ−プラグはケ−ス本体内部に収納されていることを特徴とする請求項１に記載のノイズフィルタ付き情報コンセント。
【請求項４】
前記メンテナンス用接続口と情報コンセント口との上下面にはプリント基板が各々配置され、該基板に対して直立にノイズフィルタが接続されていることを特徴とする請求項１に記載のノイズフィルタ付き情報コンセント。
【考案の詳細な説明】
【技術分野】
【０００１】  本考案は、主として通信回線の屋内配線において、ＯＡ機器或いはハブに接続するノイズフィルタ付き情報コンセントに関し、特にメンテナンス用の情報コンセントに係るものである。
【背景技術】
【０００２】  従来、通信回線の屋内配線において、ＬＡＮケ−ブルの中間にノイズ除去用フィルタを収納した情報コンセントを接続することは一例として特開平１０−１１６６６７号公報に開示されている。
【考案の開示】
【考案が解決しようとする課題】
【０００３】  しかしながら、上記情報コンセントは、モジュラ−ジャック側にモジュラ−プラグがケ−ス本体の外部に露出して固定されているので、誤ってモジュラ−プラグを引抜いたり、ＬＡＮケ−ブルの性能等に影響する損傷等をチェックすることは構造上から複雑な作業が求められメンテナンス上不都合が生じる。
そこで、本考案は情報用コンセントにメンテナンス用モジュラ−プラグを装着したＬＡＮケ−ブルを取外し可能に構成して、ＬＡＮケ−ブルの性能をチェックし、良好なメンテナンスの維持を目的としたノイズフィルタ付き情報コンセントを創案することで解決した。
【課題を解決するための手段】
【０００４】  本考案は、メンテナンス用接続口と情報コンセント口とを備えた情報コンセント本体と、前記メンテナンス用接続口と情報コンセント口の略中間位置にノイズフィルタを配置したフィルタ付き情報コンセントであり、前記メンテナンス用接続開口にメンテナンス用モジュラ−プラグを取外し可能に取付けられている。
また、メンテナンス用接続口と情報コンセント口との上下面にはプリント基板が各々配置し、該基板に対して直立にノイズフィルタを接続する構成により解決した。
【考案の効果】
【０００５】  上述したように、本考案のフィルタ付き情報コンセントにおいて、メンテナンス用モジュラ−プラッグが取外し可能に取付け、該接続部をケ−ス本体内部収納したので、ＯＡ機器或いはハブ間にＬＡＮケ−ブルを接続する際または接続後にノイズ障害等の不具合の生じる怖れがあるＬＡＮケ−ブルの定期的性能チェックを行い、そのチェックに基づいて新たなケ−ブルを採用・接続することが可能になり、情報コンセントにおいて従来着目されていなかったメンテナンスが可能になった。
また、モジュラ−プラグはケ−ス本体内部に収納されているので、誤って引抜くことがない。
さらに、ノイズフィルタがプリント基板に対して直立に配置されているのでストレ−トに配線ができ、ノイズフィルタの収納容積が小さくなり、コンパクトな情報コンセントが得られた。
【考案を実施するための最良の形態】
【０００６】  情報コンセント本体は合成樹脂よりなるケ−ス上蓋及びケ−ス下ベ−スの二部材からなり、ケ−ス上蓋の両側部にメンテナンス用接続口及び情報コンセント口が各々設けられている。
一方、ケ−ス下ベ−スの一側部には切欠部が設けられ、両者は相互に嵌合され情報コンセントを形成している。
上記情報コンセントには、メンテナンス用接続口及び情報コンセント口が適宜間隔で配置され、メンテナンス用接続口にはＬＡＮケ−ブルに接続されたメンテナンス用モジュラ−プラグが取外し可能に接続され、接続部はケ−ス本体内に収納されるように構成されている。
そして、ハブ等にセットするに先立ち、メンテナンス用モジュラ−プラグを装着したＬＡＮケ−ブルを接続する場合、或いは定期点検、更にはＬＡＮケ−ブルに障害が生じた場合等にメンテナンス用モジュラ−プラグを取外し、テスタ−等によるケ−ブルの性能チェックが可能になった。【０００７】  情報コンセントの左右に適宜間隔で配置されたメンテナンス用接続口及び情報コンセント口の上下面にはプリント基板が各々固着されている。
そして、固着された上下２枚のプリント基板の略中間位置にはコイルからなるノイズフィルタが直立に配置されストレ−トに配線接続されているので、情報コンセントの全長が短縮されてコンパクトなコンセントが得られる。
【実施例】
【０００８】  以下、添付図面に従って実施例を説明する。
１は両側面に開口部を設けた合成樹脂製のケ−ス上蓋であり、２は同じく合成樹脂製のケ−ス下ベ−スであり一側面に切欠部が設けられ前記ケ−ス上蓋１に嵌合されて情報コンセント本体を形成している。
３Ａ、３ＢはＬＡＮケ−ブルであり、４は情報コンセント口、５はメンテナンス用接続開口である。
６はコイルからなるノイズ除去用フィルタであり、上記情報コンセント口４及びメンテナンス用接続開口５の上下に跨って固定された上プリント基板７及び下プリント基板８に直立して接続されている。
９はＬＡＮケ−ブル３Ａに装着されたメンテナンス用モジュラ−プラグであり、メンテナンス用接続開口５に取外し可能に取付けられ、接続されたモジュラ−プラグ９はケ−ス本体内部に収納されている。他端はハブに接続されている。
１０はＬＡＮケ−ブル３Ｂに装着された情報用モジュラ−プラグであり、情報コンセント口４に固定され、他端はＯＡ機器に接続される。【０００９】  本考案の一実施例は上述のような構成からなるものであるから、常時はノイズフィルタ付き情報コンセントとして機能するが、ＬＡＮケ−ブル３Ｂの定期点検或いはＬＡＮケ−ブル３Ｂに障害が発生した場合等の緊急事態にメンテナンス用モジュラ−プラグ９をメンテナンス用接続開口５から取外してテスタ−等によりＬＡＮケ−ブル３Ｂの性能チェックが可能になる。
また、モジュラ−プラグ９はケ−ス本体内に収納されいるので、誤って引抜かれることが防止できる。
さらに、ノイズフィルタ６が上下プリント基板７及び８に直立に取付けられているのでストレ−トに配線され情報コンセントがコンパクト化される。
なお、本考案は実施例の形態の構成に限定されるものではなく、本考案の要旨の範囲内で種々の変形が可能である。
【図面の簡単な説明】
【００１０】
【図１】  本考案の情報コンセントの実施例を示す分解斜視図である。
【図２】  同情報コンセントのケ−ス上蓋及びケ−ス下蓋を取外した側断面図である。
【符号の説明】
【００１１】  １      ケ−ス上蓋
２      ケ−ス下ベ−ス
３Ａ    ＬＡＮケ−ブル
３Ｂ    ＬＡＮケ−ブル
４      情報コンセント口
５      メンテナンス用接続口
６      ノイズフィルタ
７      上プリント基板
８      下プリント基板
９      メンテナンス用モジュラ−プラッグ
１０    情報モジュラ−プラグ
【図１】
0003118568.tif 000003
【図２】
0003118568.tif 000004